(57)【要約】  一般に、実施例によると、無線送信機は、対応する符号化変調アルゴリズムを入力情報ブロックに適用する複数の符号化変調モジュールを有する。離散フーリエ変換（ＤＦＴ）プリコーダは、符号化変調モジュールの出力にＤＦＴ処理を適用し、逆高速フーリエ変換（ＩＦＦＴ）モジュールは、基地局により指示されるリソース割当てに従って異なるサブキャリアにマッピングされる、ＤＦＴプリコーダのＤＦＴ出力を受信し、ＤＦＴ出力にＩＦＦＴ処理を適用する。出力処理段階は、無線受信機に無線送信するため、ＩＦＦＴモジュールの出力に基づき出力信号を生成する。異なる実現形態では、符号化変調モジュールの出力は、ＩＦＦＴ処理された出力情報を生成するためＩＦＦＴモジュールに提供可能である。
2012508484.tif 000002
【特許請求の範囲】
【請求項１】
対応する符号化変調アルゴリズムを入力情報ブロックに適用する複数の符号化変調モジュールと、
前記複数の符号化変調モジュールの出力に離散フーリエ変換（ＤＦＴ）処理を適用するＤＦＴプリコーダと、
前記ＤＦＴプリコーダのＤＦＴ出力を受信し、前記ＤＦＴ出力に逆高速フーリエ変換（ＩＦＦＴ）処理を適用するＩＦＦＴモジュールと、
無線受信機に無線送信するため、前記ＩＦＦＴモジュールの出力に基づき出力信号を生成する出力処理段階と、
を有する無線送信機。
【請求項２】
前記ＤＦＴ出力は、連続するサブキャリアのクラスタとして前記ＩＦＦＴモジュールの入力にマッピングされる、請求項１記載の無線送信機。
【請求項３】
前記複数の符号化変調モジュールにより適用される符号化変調アルゴリズムは、無線送信スペクトルの各部分におけるサブキャリアのリンクアダプテーションを可能にする、請求項１記載の無線送信機。
【請求項４】
前記符号化変調アルゴリズムの少なくとも２つは異なる、請求項３記載の無線送信機。
【請求項５】
前記符号化変調モジュールにより適用される符号化変調アルゴリズムは、基地局によりスケジューリングされる、請求項１記載の無線送信機。
【請求項６】
前記符号化変調モジュールにより適用される符号化変調アルゴリズムは、当該無線送信機を含む移動局において前記基地局から受信される制御指示に基づく、請求項５記載の無線送信機。
【請求項７】
無線受信機に信号を無線送信する無線送信機を有する移動局であって、
前記無線送信機は、
各符号化変調アルゴリズムを各入力情報ブロックに適用する複数の符号化変調モジュールと、
前記複数の符号化変調モジュールの出力を受信し、前記複数の符号化変調モジュールの出力に基づき逆高速フーリエ変換（ＩＦＦＴ）処理された出力情報を生成するＩＦＦＴモジュールと、
前記ＩＦＦＴモジュールの出力情報に基づき無線送信用の出力信号を生成する出力処理段階と、
を有する移動局。
【請求項８】
前記無線送信機により送信される情報を生成するプロセッサをさらに有する、請求項７記載の移動局。
【請求項９】
適用する符号化変調アルゴリズムの選択は、基地局からの制御情報に基づく、請求項７記載の移動局。
【請求項１０】
前記基地局からの制御情報は、アップリンクチャネル品質の推定値に基づく、請求項９記載の移動局。
【請求項１１】
前記複数の符号化変調モジュールと前記ＩＦＦＴモジュールとを有する構成は、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）通信を提供する、請求項７記載の移動局。
【請求項１２】
当該移動局は、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（ＥＵＴＲＡ）規格に従って無線通信するよう構成される、請求項７記載の移動局。
【請求項１３】
情報ブロックを無線送信する方法であって、
無線送信機が、前記入力ブロックに各符号化変調モジュールによる複数の符号化変調アルゴリズムを適用するステップと、
前記符号化変調モジュールからの符号化及び変調された情報に離散フーリエ変換（ＤＦＴ）処理を適用するため、前記符号化及び変調された情報をＤＦＴプリコーダに提供するステップと、
前記無線送信機の逆高速フーリエ変換（ＩＦＦＴ）モジュールが、前記ＩＦＦＴモジュールからのＩＦＦＴ処理された出力を生成するため、前記ＤＦＴプリコーダのＤＦＴ出力に対してＩＦＦＴ処理を適用するステップと、
無線受信機への無線送信のため、前記ＩＦＦＴ処理された出力に基づき出力信号を生成するステップと、
を有する方法。
【請求項１４】
前記ＤＦＴ出力は、対応する異なる周波数を有する連続するサブキャリアのクラスタとして前記ＩＦＦＴモジュールの入力にマッピングされる、請求項１３記載の方法。
【請求項１５】
前記符号化変調アルゴリズムの少なくとも２つは異なる、請求項１３記載の方法。
【請求項１６】
前記無線送信機による無線通信は、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（ＥＵＴＲＡ）規格に従う、請求項１３記載の方法。
【請求項１７】
情報ブロックを無線送信する方法であって、
移動局の一部である無線送信機の各符号化変調モジュールによる符号化変調アルゴリズムを各情報ブロックに適用するステップと、
逆高速フーリエ変換（ＩＦＦＴ）モジュールにおいて前記符号化変調モジュールの出力を受信するステップと、
前記ＩＦＦＴモジュールが、前記符号化変調モジュールの出力に基づきＩＦＦＴ処理された出力情報を生成するステップと、
前記ＩＦＦＴモジュールからのＩＦＦＴ処理された出力情報に基づき、アップリンク方向の無線送信用の出力信号を生成するステップと、
を有する方法。
【請求項１８】
基地局からダウンリンク制御情報を受信するステップをさらに有し、
前記符号化変調モジュールにより適用される符号化変調アルゴリズムの選択は、前記制御情報に基づく、請求項１７記載の方法。
【請求項１９】
前記制御情報は、前記移動局から前記基地局へのフィードバックに基づく、請求項１８記載の方法。
【発明の詳細な説明】
【背景技術】
【０００１】
移動局が他の移動局又は有線ネットワークに接続される有線端末と通信することを可能にするため、各種無線アクセス技術が提案又は実現されてきた。無線アクセス技術の具体例として、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）により規定されたＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）及びＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）技術と、３ＧＰＰ２により規定されるＣＤＭＡ２０００（Ｃｏｄｅ  Ｄｉｖｉｓｉｏｎ  Ｍｕｌｔｉｐｌｅ  Ａｃｃｅｓｓ２０００）とがあげられる。
【０００２】
スペクトル効率及びサービスを向上させ、コストを低減するなどのための無線アクセス技術の継続的な進化の一部として、新たな規格が提案されてきた。このような新たな規格の１つは、３ＧＰＰからのＬｏｎｇ  Ｔｅｒｍ  Ｅｖｏｌｕｔｉｏｎ（ＬＴＥ）（またＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）とも呼ばれる）であり、これは、ＵＭＴＳ技術をエンハンスすることを求めるものである。
【０００３】
アップリンク無線送信に関する問題は、アップリンクにより送信される情報の処理に関する電力消費である。電力効率パフォーマンスを向上させるため、低いピーク対平均電力比（ＰＡＰＲ）を実現することが所望される。しかしながら、いくつかの実現形態では、所望の電力効率パフォーマンスを実現することは、大きなパワーアンプのバックオフ要求による移動局の送信機の相対的に高価なパワーアンプの利用を要求する可能性がある。パワーアンプのバックオフは、ピーク電力レベルより低い出力電力レベルにおいてパワーアンプを動作させることを表す。大きなパワーアンプバックオフ（ピーク電力レベルに対して低い平均電力レベル）は、パワーアンプの効率性を低下させる。
【０００４】
無線送信に関する他の目的は、より広い帯域幅、より高いスペクトル効率及びより高いオーダのＭＩＭＯ（Ｍｕｌｔｉｐｌｅ  Ｉｎｐｕｔ，Ｍｕｌｔｉｐｌｅ  Ｏｕｔｐｕｔ）である。ＭＩＭＯは、送信機が複数のアンテナを有し、受信機が複数のアンテナを有する無線送信を表し、複数の入力とはチャネルへの複数の送信信号を意味し、複数の出力とはチャネルの出力における複数の信号を意味する。従来の無線送信機は、効率的な方法により所望の特性を提供するものでないかもしれない。
【発明の概要】
【０００５】
一般に、実施例によると、無線送信機は、対応する符号か変調アルゴリズムを入力情報ブロックに適用する複数の符号化変調モジュールを有する。離散フーリエ変換（ＤＦＴ）プリコーダは、符号化変調モジュールの出力にＤＦＴ処理を適用する。逆高速フーリエ変換（ＩＦＦＴ）モジュールは、ＤＦＴプリコーダのＤＦＴ出力を受信し、ＤＦＴ出力にＩＦＦＴ処理を適用する。出力処理段階は、無線受信機に無線送信するため、ＩＦＦＴモジュールの出力に基づき出力信号を生成する。
【０００６】
他の特徴は、以下の説明、図面及び請求項から明らかになるであろう。
【図面の簡単な説明】
【０００７】
【図１】図１は、本発明の実施例を有する一例となる通信ネットワークのブロック図である。
【図２】図２は、実施例による無線送信機のブロック図である。
【図３】図３は、他の実施例による無線送信機のブロック図である。
【図４】図４は、実施例による無線送信のための情報ブロックを処理する方法のフロー図である。
【発明を実施するための形態】
【０００８】
一般に、実施例によると、無線送信機と無線受信機との間の無線リンクを介した無線送信のための情報ブロックを処理するためのより効率的な技術又は機構が提供される。この技術又は機構は、複数の符号化及び変調モジュールを有する無線送信機を用いて、対応する符号化及び変調アルゴリズムを入力情報ブロックに適用する。変調及び符号化アルゴリズムは、無線送信機と無線受信機との間の無線送信帯域幅の異なる部分におけるサブキャリアに対してリンクアダプテーションを可能にするため異なるものとすることができる。無線送信帯域幅は、対応する異なる周波数に関するいくつかのサブキャリアを含むことが可能である。
【０００９】
無線送信機は、符号化及び変調モジュールの出力にＤＦＴ処理を適用する離散フーリエ変換（ＤＦＴ）プリコーダを有する。複数の符号化及び変調モジュールの出力を処理するため、１つのＤＦＴプリコーダ（複数のＤＦＴプリコーダでなく）が用いられることに留意されたい。複数の符号化及び変調モジュールの出力を処理するために１つのみのＤＦＴプリコーダを用いることは、より効率的な実装を可能にする。
【００１０】
ＩＦＦＴ（Ｉｎｖｅｒｓｅ  Ｆａｓｔ  Ｆｏｕｒｉｅｒ  Ｔｒａｎｓｆｏｒｍ）モジュールは、ＤＦＴプリコーダのＤＦＴ出力を受信し、ＤＦＴ出力にＩＦＦＴ処理を適用する。出力処理段階は、その後に無線受信機への無線送信のため、ＩＦＦＴモジュールの出力に基づき出力信号を生成する。
【００１１】
一部の実施例によると、ＤＦＴプリコーダのＤＦＴ出力は、連続するサブキャリアのクラスタ（各自が異なる周波数を有する）としてＩＦＦＴモジュールの入力にマッピングされる。サブキャリアのクラスタ化は、ＰＡＰＲ（Ｐｅａｋ−ｔｏ−Ａｖｅｒａｇｅ−Ｐｏｗｅｒ  Ｒａｔｉｏ）の向上を可能にする。また、このような実施例は、無線送信機のパワーアンプの電力容量の低減を推定するのに用いられる指標である改良されたキュービックメトリック（ＣＭ）を提供する。
【００１２】
一部の実施例によると、情報ブロック処理は、アップリンク無線送信（移動局から基地局への）に適用される。しかしながら、アップリンク方向における情報ブロック処理の適用が参照されるが、他の実施例では、情報ブロック処理はまたダウンリンク方向に適用可能である。
【００１３】
ここで用いられる“情報ブロック”とは、トラフィックデータ又は制御シグナリングを表しうる情報ビットの集まりを意味する。“移動局”とは、位置的に移動可能なユーザにより利用可能な端末を意味する。“基地局”とは、移動局との無線津心を実行する無線アクセスネットワークエンティティである。基地局は、例えば、基地送受信局（ＢＴＳ）、基地局コントローラ、無線ネットワークコントローラなどを含むことが可能である。
【００１４】
図１は、無線リンク１０４を介し移動局１０２と通信可能な基地局１００を有する通信ネットワークを示す。基地局１００と移動局１０２とはそれぞれ、無線通信装置とみなされる。基地局１００は、各自のカバレッジエリア（セル）をカバーする多数の基地局を有することが可能な無線アクセスネットワークの一部である。各基地局１００は、基地局のカバレッジエリア内の複数の移動局と通信可能である。
【００１５】
次に、基地局１００は、無線アクセスネットワークに関するコアネットワーク１０６に接続される。コアネットワーク１０６は、外部データネットワーク（インターネットなど）でありうる外部ネットワーク１０８と無線アクセスネットワークとのインタフェースをとるためのゲートウェイノードなどのノードを含む。
【００１６】
コアネットワーク１０６と、基地局１００を有する無線アクセスネットワークとは、例えば、３ＧＰＰにより規定されたＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）やＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）技術、３ＧＰＰ２により規定されるＣＤＭＡ２０００（Ｃｏｄｅ  Ｄｉｖｉｓｉｏｎ  Ｍｕｌｔｉｐｌｅ  Ａｃｃｅｓｓ２０００）技術、ＵＭＴＳ技術のエンハンスメントであるＬＴＥ（Ｌｏｎｇ  Ｔｅｒｍ  Ｅｖｏｌｕｔｉｏｎ）技術やＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）、ＩＥＥＥ８０２．１６規格により規定されるＷｉＭａｘ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）技術や他の技術を含む各種技術の１つに従って動作可能である。
【００１７】
基地局１００は、送信機１１０と受信機１１２とを有し、移動局１０２は、送信機１１４と受信機１１６とを有する。基地局１００の送信機１１０は、無線リンク１０４を介し基地局１００のアンテナアセンブリ１１８によりダウンリンク情報を送信するのに用いられる。ダウンリンク情報は、移動局１０２のアンテナアセンブリ１２０を介し移動局１０２の受信機１１６により受信される。
【００１８】
反対方向では、アップリンク情報が、無線リンク１０４を介し移動局のアンテナアセンブリ１２０により移動局１０２の送信機１１４により送信される。アップリンク情報は、基地局のアンテナアセンブリ１１８を介し基地局１００の受信機１１２により受信される。
【００１９】
基地局１００はさらにプロセッサ１２２を有し、移動局１０２はプロセッサ１２４を有する。プロセッサ１２２，１２４は、無線リンク１０４を介した情報の送受信を含む、基地局１００と移動局１０２とのそれぞれによって実行される各タスクを制御する。例えば、プロセッサは、無線リンク１０４を介した送信のため、情報（トラフィックデータ又は制御シグナリング）を各送信機に提供することが可能である。プロセッサはまた、無線リンク１０４を介し対応する受信機により受信された受信データを処理することができる。
【００２０】
図２は、実施例による送信機（図１の１１０又は１１４など）の構成要素を示す。送信機は、入力情報２００（入力情報ブロックの形式による）を受信する複数の符号化変調モジュール２０２＿１〜２０２＿Ｎを有する。各符号化変調モジュールの出力は、２０３＿ｉ（ただし、ｉ＝１〜Ｎ）として示される符号化及び変調されたシンボル群を含む。符号化及び変調シンボル群２０３＿ｉは、対応する符号化変調モジュール２０２＿ｉから出力される。各符号化及び変調シンボル群２０３＿ｉは、ＤＦＴプリコーダ２０４の対応する部分に提供される。ＤＦＴプリコーダ２０４の対応する各部分は、各符号化及び変調シンボル群２０３＿ｉに対してＤＦＴ処理を適用する。単一のＤＦＴプリコーダは、複数のＤＦＴプリコーダが用いられるケースと比較して、ＩＦＦＴ出力における送信信号のピーク対平均電力比を向上（低減）させる。ここで、ＤＦＴ拡散は、各コードブロックの変調シンボルの個数に等しい帯域幅全体になされる。単一のＤＦＴプリコーダの場合、時間領域のすべての変調シンボルは、アップリンクのために移動局に割り当てられた合計帯域幅に等しい帯域幅に拡散され、これは、ピーク対平均電力比を低下させるのにより効果的である。
【００２１】
ＤＦＴプリコーダ２０４は、サブキャリアの複数のクラスタ２０５＿１〜２０５＿Ｎを出力する。サブキャリアの各クラスタ２０５＿ｉは、対応する入力された符号化及び変調シンボル群２０３＿ｉのＤＦＴ処理されたものを含む。図２に用いられる構成は、ＤＦＴ出力が連続するサブキャリアのクラスタとして（ＩＦＦＴモジュール２０６の）ＩＦＦＴ入力にマッピングされることを可能にする、このサブキャリアのクラスタ化は、ＰＡＰＲ及びＣＭ特性を向上させる。
【００２２】
ＩＦＦＴモジュール２０６は、各入力クラスタ２０５＿１〜２０５＿ｎに対して逆高速フーリエ変換処理を適用する。クラスタからＩＦＦＴモジュール２０６の入力へのマッピングは、移動局の送信に対応するリソース割当てに基づく。基本的には、ＩＦＦＴモジュール２０６の各部分は、対応するクラスタ２０５＿１〜２０５＿Ｎを処理するのに利用される。ＩＦＦＴ処理された情報は、その後に出力処理段階２０８に出力され、並列直列変換、サイクリックプリフィックス挿入、ウィンドウ処理、キャリア変調、フィルタリング、周波数アップ変換及び電力増幅を含む各種処理を実行して、アンテナアセンブリ１１８（ダウンリンク方向）又は１２０（アップリンク方向）により無線送信されるアナログＲＦ信号を出力する。
【００２３】
図２に示される無線送信機の構成は、クラスタ化されたＤＦＴＳ−ＦＤＭＡ（Ｄｉｓｃｒｅｔｅ  Ｆｏｕｒｉｅｒ  Ｔｒａｎｓｆｏｒｍ  Ｓｐｒｅａｄ−Ｆｒｅｑｕｅｎｃｙ  Ｄｉｖｉｓｉｏｎ  Ｍｕｌｔｉｐｌｅ  Ａｃｃｅｓｓ）構成とみなされる。
【００２４】
他の実施例では、アップリンク無線送信のため、図３の構成要素を含む送信機（図１の１２０など）が利用可能である。入力情報３００（入力情報ブロックの形式による）が、各入力情報ブロックに異なる符号化変調アルゴリズムを適用可能な対応する符号化変調モジュール３０２＿１〜３０２＿Ｎに提供される。各符号化変調モジュール３０２＿ｉの出力は、ＩＦＦＴモジュール３０４に提供される対応するシンボル群３０３＿ｉである。ＩＦＦＴ処理の適用後、ＩＦＦＴモジュール３０４の出力は出力処理モジュール３０６に提供され、アンテナアセンブリ１２０によるアップリンク送信用の信号を生成するための処理が実行される。
【００２５】
図３に示される構成は、図２に示される送信機と比較して、より複雑さの少ないよりフレキシブルなアップリンク多重接続を提供するＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）である。具体的には、ＯＦＤＭＡを利用すると、ＤＦＴプリコーダ２０４は利用する必要がなくなる。ＯＦＤＭＡは、情報を搬送するための比較的多くの密に配置された（異なる周波数の）直交サブキャリアを提供する。ＯＦＤＭＡはまた、タイムスロット（時間次元に沿って）を規定する。時間次元と周波数次元との双方における多重化を提供することによって、各サブバンドが周波数次元に沿って複数のサブキャリアと時間次元に沿ってタイムスロットとを含むサブバンドが提供可能である。
【００２６】
図４は、実施例による入力情報ブロックを処理する方法のフロー図である。当該処理は、送信機の構成要素によって実行される。入力情報ブロックが受信される（４０２において）。受信した情報ブロックは、トラフィックデータ又は制御シグナリングを含むことができる。異なる符号化変調アルゴリズムを異なる情報ブロックに適用することによって、送信スペクトルの各部分に対してリンクアダプテーションが実行可能であり、通信の信頼性及びスペクトル効率性が向上する。例えば、送信スペクトルの特定部分は、よりロウバストな符号化変調アルゴリズムが信頼性とパフォーマンスとを向上させるために適用されるように、不良なチャネル状態に関連付けされてもよい。
【００２７】
適用対象の符号化及び変調の選択は、移動局からのフィードバック情報を用いて基地局において実行されるスケジューリングに基づくものとすることが可能であり、フィードバック情報はＣＱＩ（Ｃｈａｎｎｅｌ  Ｑｕａｌｉｔｙ  Ｉｎｄｉｃａｔｏｒ）及び／又はＰＭＩ（Ｐｒｅｃｏｄｉｎｇ  Ｍａｔｒｉｘ  Ｉｎｄｅｘ）を含む。ＰＭＩは、無線送信に適用されるプリコーディングベクトルの選択を可能にするインデックス（又は他のタイプのインジケータ）を意味する。ＣＱＩは、基地局と移動局との間の無線チャネル品質の指標である。ＰＭＩの異なる値は、異なるコードワード又はプリコーディングマトリックスを選択する。移動局から基地局に提供されるフィードバック情報に基づき、基地局は、符号化変調モジュール（２０２＿１〜２０２＿Ｎ又は３０２＿１〜３０２＿Ｎ）において各情報ブロックに選択された符号化変調アルゴリズムを適用するため、移動局をスケジューリングすることができる。基地局によるスケジューリングは、各符号化変調モジュールによる適用される符号化変調アルゴリズムの指示を含む制御メッセージを基地局が送信することによって実行される。ここでの符号化とは、ＬＴＥのケースと同様に、畳み込み又はターボ符号化、インタリーブ処理及びレートマッチング段階などのチャネル符号化を含むものであってもよい。
【００２８】
次に、符号化及び変調シンボルは、符号化変調モジュール（２０２＿１〜２０２＿Ｎ又は３０２＿１〜３０２＿Ｎ）によって、出力信号を生成するためのさらなる処理のために出力される（４０６において）。このさらなる処理は、ＤＦＴプリコーダ２０４、ＩＦＦＴモジュール２０６、出力処理段階２０８（図２）又はＩＦＦＴモジュール３０４と出力処理段階３０６（図３）による処理を含むことが可能である。
【００２９】
その後、出力信号は、図１のアンテナ１１８又は１２０などのアンテナによって無線送信される（４０８において）。
【００３０】
図２及び３に示される各種モジュールは、ハードウェアのみにより、又はハードウェアとソフトウェアとの組み合わせにより実現可能である。符号化変調モジュールは、ハードウェアのみにより、又はハードウェアとソフトウェアとの組み合わせにより実現可能であり、ＤＦＴプリコーダは、ハードウェアのみにより、又はハードウェアとソフトウェアとの組み合わせにより実現可能であり、ＩＦＦＴモジュールは、ハードウェアのみにより、又はハードウェアとソフトウェアとの組み合わせにより実現可能である。
【００３１】
上記説明では、本発明の理解を提供するため、多数の詳細が与えられた。しかしながら、本発明がこれらの詳細なしに実現可能であることは当業者に理解されるであろう。本発明は限定数の実施例に関して開示されたが、当業者は多数の改良及び変形を理解するであろう。添付した請求項はこのような改良及び変形を本発明の真の趣旨及び範囲内に属する者としてカバーするものである。
【図１】
2012508484.tif 000003
【図２】
2012508484.tif 000004
【図３】
2012508484.tif 000005
【図４】
2012508484.tif 000006
【国際調査報告】
2012508484.tif 000007
2012508484.tif 000008